(57)【要約】 【課題】   携帯電話を端末として用いると共に、大きなディスプレイの表示を用いて見やすい表示画面を提供することにより、顧客または使用者が誤った操作をすることを防止した使いやすい表示システム、商品販売システム及び販売方法、テレビ電話システム、機器遠隔操作システムを提供することを目的とする。 【解決手段】   ネットワークを介して情報の授受を行なうことのできる携帯電話と、通信機能により前記携帯電話と接続されることにより前記情報を表示することのできるパソコンとから構成され、前記携帯電話が有する第１のディスプレイには前記情報を簡易的に表す第１の表示画面が表示され、前記パソコンが有する第２のディスプレイには前記情報を前記第１の表示画面よりも詳細に表す第２の表示画面が表示される。 【選択図】  図１
2007074265.tif 000002
【特許請求の範囲】
【請求項１】
ネットワークを介して情報の授受を行なうことのできる携帯電話と、通信機能により前記携帯電話と接続されることにより前記情報を表示することのできる表示機器とから構成され、
前記携帯電話が有する第１のディスプレイには前記情報を簡易的に表す第１の表示画面が表示され、前記表示機器が有する第２のディスプレイには前記情報を前記第１の表示画面よりも詳細に表す第２の表示画面が表示されることを特徴とする表示システム。
【請求項２】
前記表示機器はパソコン、テレビ、カーナビゲーション装置のいずれかであることを特徴とする請求項１に記載の表示システム。
【請求項３】
前記通信機能はBluetooth、HomeRF、Wi-Fiのいずれかの規格に準拠した無線LAN通信、またはIrDA規格に準拠した赤外線通信であることを特徴とする請求項１または２に記載の表示システム。
【請求項４】
インターネットを介して販売店の販売管理用サーバと接続され、前記販売管理用サーバと情報の授受を行なうことのできる携帯電話と、通信機能により前記携帯電話と接続されることにより前記情報を表示することのできる表示機器とを用いて顧客が商品の販売手続を行なう商品販売システムであって、
前記販売店で販売される商品の情報である販売商品情報を前記販売管理用サーバから前記携帯電話に送信する手段と、
前記携帯電話の有する第１のディスプレイに前記販売商品情報を簡易的に表す第１の販売商品画面を表示し、前記表示機器の有する第２のディスプレイに前記販売商品情報を前記第１の販売商品画面よりも詳細に表す第２の販売商品画面を表示する手段と、
顧客が購入希望の商品を指定する情報である注文情報を前記携帯電話から前記販売管理用サーバに送信する手段と、
を有することを特徴とする商品販売システム。
【請求項５】
前記表示機器はパソコン、テレビ、カーナビゲーション装置のいずれかであることを特徴とする請求項４に記載の商品販売システム。
【請求項６】
前記表示機器がパソコンであり、かつ前記商品がデジタルコンテンツである場合に、前記注文情報を前記販売管理用サーバが受信した後に、前記携帯電話が前記商品をダウンロードし、前記商品を前記パソコンの有する記憶媒体に保存する手段を有することを特徴とする請求項５に記載の商品販売システム。
【請求項７】
インターネットを介して販売店の販売管理用サーバと接続され、前記販売管理用サーバと情報の授受を行なうことのできる携帯電話と、通信機能により前記携帯電話と接続されることにより前記情報を表示することのできる表示機器とを用いて顧客が商品の販売手続を行なう商品販売システムであって、
前記販売管理用サーバから、販売店が配達可能な商品配達場所及び時刻を示す情報である商品配達情報を前記携帯電話に送信する手段と、
前記携帯電話の有する第１のディスプレイに前記商品配達情報のうち配達可能な場所及び配達時刻を文字で表示する第１の商品配達画面を表示し、前記表示機器の有する第２のディスプレイに前記商品配達情報のうち配達可能な場所を文字及び画像で表す第２の商品配達画面を表示する手段と、
顧客が前記第１及び第２の商品配達画面を参照して、購入希望の商品の配達場所及び配達時刻を指定する情報である商品配達指定情報を、前記携帯電話から前記商品販売管理用サーバに送信する手段と、
を有することを特徴とする商品販売システム。
【請求項８】
インターネットを介して販売店の販売管理用サーバと接続され、前記販売管理用サーバと情報の授受を行なうことのできる携帯電話と、通信機能により前記携帯電話と接続されることにより前記情報を表示することのできる表示機器とを用いて商品配達者が商品の配達を行なう商品販売システムであって、
前記販売管理用サーバから、商品を配達する場所及び配達する時刻を指定する商品配達指定情報を前記携帯電話に送信する手段と、
前記携帯電話の有する第１のディスプレイに、前記商品配達指定情報を文字で表示する第１の商品配達画面を表示し、前記表示機器の有する第２のディスプレイに、前記商品配達情報のうち配達可能な場所を文字及び画像で表す第２の商品配達画面を表示する手段と、
を有することを特徴とする商品販売システム。
【請求項９】
前記表示機器はパソコン、テレビ、カーナビゲーション装置のいずれかであることを特徴とする請求項７または８に記載の商品販売システム。
【請求項１０】
前記販売管理用サーバにおいて、商品配達日の前日までに、当該配達日に配達される予定の全ての商品についての前記商品配達指定情報を参照することにより、前記商品配達日において商品を配達する配達車の総走行距離が最小になるべくその配達の経路を特定する最適化手段を有することを特徴とする請求項７及至９に記載の商品販売システム。
【請求項１１】
前記通信機能はBluetooth、HomeRF、Wi-Fiのいずれかの規格に準拠した無線LAN通信、またはIrDA規格に準拠した赤外線通信であることを特徴とする請求項４及至１０に記載の商品販売システム。
【請求項１２】
前記携帯電話が前記販売管理用サーバと情報の授受を行なう前に、前記販売管理用サーバが前記顧客又は前記商品配達者に暗証番号を入力させることを要求する認証手段を有することを特徴とする請求項４及至１１に記載の商品販売システム。
【請求項１３】
インターネットを介して販売店の販売管理用サーバと接続され、前記販売管理用サーバと情報の授受を行なうことのできる携帯電話と、通信機能により前記携帯電話と接続されることにより前記情報を表示することのできる表示機器とを用いて顧客が商品の販売手続を行なう商品販売方法であって、
前記販売店は、販売される商品の情報である販売商品情報を前記商品販売管理用サーバから前記携帯電話に送信し、
前記携帯電話の有する第１のディスプレイは前記販売商品情報を簡易的に表す第１の販売商品画面を表示し、前記表示機器の有する第２のディスプレイは前記販売商品情報を前記第１の販売商品画面よりも詳細に表す第２の販売商品画面を表示し、
顧客が前記第１の販売商品画面及び前記第２の商品表示画面を見た後に、購入希望の商品を指定する情報である注文情報を前記携帯電話から前記販売管理用サーバに送信する
ことを特徴とする商品販売方法。
【請求項１４】
前記表示機器はパソコン、テレビ、カーナビゲーション装置のいずれかであることを特徴とする請求項１３に記載の商品販売方法。
【請求項１５】
前記表示機器がパソコンであり、かつ前記商品がデジタルコンテンツである場合に、前記注文情報を前記販売管理用サーバが受信した後に、前記携帯電話が前記商品をダウンロードし、前記商品を前記パソコンの有する記憶媒体に保存することを特徴とする請求項１４に記載の商品販売方法。
【請求項１６】
インターネットを介して販売店の販売管理用サーバと接続され、前記販売管理用サーバと情報の授受を行なうことのできる携帯電話と、通信機能により前記携帯電話と接続されることにより前記情報を表示することのできる表示機器とを用いて顧客が商品の販売手続を行なう商品販売方法であって、
前記販売店は、前記販売管理用サーバから、配達する商品の配達可能な場所及び配達可能な時刻を指定する商品配達指定情報を前記携帯電話に送信し、
前記携帯電話の有する第１のディスプレイは前記商品配達指定情報のうち配達可能な場所及び配達時刻を文字で表示する第１の商品配達画面を表示し、前記表示機器の有する第２のディスプレイは前記商品配達指定情報のうち配達可能な場所を文字及び画像で表す第２の商品配達画面を表示し、
顧客が前記第１及び第２の商品配達画面を参照して、購入希望の商品の配達場所及び配達時刻を指定する情報である商品配達指定情報を、前記携帯電話から前記販売管理用サーバに送信する
ことを特徴とする商品販売方法。
【請求項１７】
インターネットを介して販売店の販売管理用サーバと接続され、前記販売管理用サーバと情報の授受を行なうことのできる携帯電話と、通信機能により前記携帯電話と接続されることにより前記情報を表示することのできる表示機器とを用いて商品配達者が商品の配達を行なう商品販売方法であって、
前記販売管理用サーバから、商品を配達する場所及び配達する時刻を指定する商品配達指定情報を前記携帯電話に送信し、
前記携帯電話の有する第１のディスプレイに、前記商品配達指定情報を文字で表示する第１の商品配達画面を表示し、前記表示機器の有する第２のディスプレイに、前記商品配達情報のうち配達可能な場所を文字及び画像で表す第２の商品配達画面を表示する
ことを特徴とする商品販売方法。
【請求項１８】
前記表示機器はパソコン、テレビ、カーナビゲーション装置のいずれかであることを特徴とする請求項１６または１７に記載の商品販売システム。
【請求項１９】
前記商品販売管理用サーバにおいて、商品配達日の前日までに、当該配達日に配達される予定の全ての商品についての前記商品配達指定情報を参照することにより、前記商品配達日において商品を配達する配達車の総走行距離が最小になるべくその配達の経路を特定することを特徴とする請求項１６及至１８に記載の商品販売方法。
【請求項２０】
前記携帯電話が前記販売管理用サーバと情報の授受を行なう前に、前記販売管理用サーバが前記顧客又は前記商品配達者に暗証番号を入力させることを要求することを特徴とする請求項１３及至１９に記載の商品販売方法。
【請求項２１】
インターネットを介してテレビ会議用サーバと接続され、前記テレビ会議用サーバと情報の授受を行なうことのできる携帯電話と、通信機能により前記携帯電話と接続されることにより前記情報を表示することのできる表示機器とを用いて、テレビ会議用サーバとネットワークを介して接続された機器の制御を行なうテレビ会議システムであって、
前記携帯電話が有する第１のディスプレイには前記情報を文字で表示する第１のテレビ電話画面を表示し、前記表示機器の有する第２のディスプレイに前記情報に含まれる画像情報を表示する第２のテレビ電話画面を表示する情報表示手段を有することを特徴とするテレビ会議システム。
【請求項２２】
前記表示機器はパソコン、テレビ、カーナビゲーション装置のいずれかであることを特徴とする請求項２１に記載のテレビ会議システム。
【請求項２３】
インターネットを介して機器管理用サーバと接続され、前記機器管理用サーバと情報の授受を行うことができる携帯電話と、通信機能により前記携帯電話と接続されることにより前記情報を表示することのできる表示機器とを用いて、前記機器管理用サーバとネットワークを介して接続された機器の操作を行なう機器遠隔操作システムであって、
前記機器管理用サーバから前記機器の現在の状態を示す情報である機器情報を前記携帯電話に発信する機器情報提供手段と、
前記携帯電話の有する第１のディスプレイに、前記機器情報を簡易的に表す第１の機器情報画面を表示し、前記表示機器の有する第２のディスプレイに、前記機器情報を前記第１の機器情報画面よりも詳細に表す第２の機器情報画面を表示する機器情報表示手段と、
前記機器を操作するための制御情報を前記携帯電話から前記機器管理用サーバに送信する制御情報送信手段と、
を有することを特徴とする機器遠隔操作システム。
【請求項２４】
前記表示機器はパソコン、テレビ、カーナビゲーション装置のいずれかであることを特徴とする請求項２３に記載の機器遠隔操作システム。
【請求項２５】
請求項１及至３のいずれかに記載の表示システムにおける第１の表示画面において、前記通信機能により前記携帯電話と接続する表示機器を選択する画面が表示されることを特徴とする請求項１及至３のいずれかに記載の表示システム。
【請求項２６】
請求項１及至３のいずれかに記載の表示システムにおける第１の表示画面において、
請求項４及至１２のいずれかに記載の商品販売システム、請求項２１または２２に記載のテレビ会議システム、及び請求項２３または２４に記載の機器遠隔操作システム、のいずれかのシステムを選択して起動する画面が表示されることを特徴とする請求項１及至３のいずれかに記載の表示システム。
【発明の詳細な説明】
【技術分野】
【０００１】
本発明は、ネットワークを介して情報の授受を行なう携帯電話において、その情報を表示する表示システムに関する。また、この表示システムを用いた商品販売システム及び商品販売方法、テレビ電話システム、機器遠隔操作システムに関する。 
【背景技術】
【０００２】
近年、ＩＴ技術の進歩により、インターネットを介して、利用者の手元にある端末（パソコン、携帯電話等）を用いることにより、様々な事項が処理できるようになった。 
【０００３】
例えば、顧客の手元にある端末を用いて顧客と販売店の間で商品情報や商品の配達情報を交換し、商品の発注手続を行なうという、いわゆるオンラインショッピングあるいはインターネットショッピングと呼ばれる商品販売システムが用いられている（例えば、特許文献１、特許文献２、特許文献３参照）。このシステムにおいては、顧客は、手元にある端末から販売店の管理用サーバにアクセスし、そのウェブサイトを立ち上げ、希望の商品情報を得ることができる。これより、例えばその外観、仕様等を顧客の手元の端末のディスプレイに表示させ、それを見て顧客はどの商品を発注するか決定する。その決定した情報を顧客が前記のウェブサイト内のページに入力することにより、この情報は端末から販売店の管理用サーバに送信される。商品がデジタルコンテンツ、例えば音楽やソフトウェアである場合には、この直後に商品を顧客の手元にある端末にダウンロードすることができる。商品がデジタルコンテンツでなく、顧客の手元に配達する必要のある通常の商品である場合、商品の配達情報（配達場所、指定時刻等）を同様にウェブサイト内のページに入力することにより、この情報が送信され、管理用サーバの顧客データベースに登録される。販売店は、商品の配達時にこの情報を参照して、商品の配達を行なう。このシステムによれば、商品が発注されてから顧客に配達されるまでの流れを、人間の労力を介さずに管理用サーバで管理することができるため、商品の数が多い場合や顧客の数が多い場合には、販売のコスト削減や人的ミスの減少という効果が得られる。そして、顧客にとっての最大の利点は、販売店に出向かずに、顧客の手元で商品の詳細を確認することができ、発注から配達手続までを販売店の開店時間に関わりなくいつでも行えることである。 
【０００４】
この際、顧客が用いる端末として携帯電話を用いることもできる。この場合には、持ち運びに便利で、いつでもどこでもアクセスできるという携帯電話の特徴により、以上の利点を最大に生かすことができる。 
【０００５】
携帯電話を端末としてネットワークに接続して用いる用途は商品販売システム以外にも、例えばテレビ電話システム（例えば特許文献４参照）や、機器遠隔操作システム（例えば特許文献５参照）がある。 
【特許文献１】特開２００２−１５００６５
【特許文献２】特開２００２−１９７３４８
【特許文献３】特開２００４−２９９７２
【特許文献４】特開２００４−２４８１２７
【特許文献５】特開２００２−３３５５８６
【発明の開示】
【発明が解決しようとする課題】
【０００６】
しかしながら、上記のいずれの用途においても、携帯電話を前述の端末として用いた場合には、携帯電話のディスプレイは一般に２〜３インチの大きさしかないため、利用者はこのディスプレイに表示された画面から充分な情報を得ることが困難であるという問題がある。例えば、前記の商品販売システムにおいて、顧客がある商品の購入を検討しているため、販売店のウェブサイトにアクセスしてその外観写真を表示させたが、その商品の外観写真を充分に詳細に表示できない場合がある。特に、複数の商品の中から一つを選択する際、候補となる商品を同一画面で並べて表示させて比較することにより発注する商品を選択したい場合、携帯電話の小さなディスプレイで細かい部分の識別を行うことは困難な場合が多い。たとえディスプレイの解像度が充分であっても、これを拡大しない限り人間の視力では識別できない場合もある。そのため、携帯電話を用いた場合には顧客が誤った商品を注文する可能性が高い。 
【０００７】
また、商品情報の表示だけではなく、顧客が商品の配達場所を指定する場合においても、携帯電話のディスプレイでは不充分な場合がある。例えば、ウェブサイト内の地図表示で、顧客がカーソルで配達場所を指定することによりその配達場所を特定する場合、携帯電話の小さなディスプレイでは地図を画像情報として表示した場合に、細かい場所の識別は困難である。そのため、顧客が誤った配達場所を指定する可能性が高い。 
【０００８】
商品販売システムに限らず、同様に携帯電話を端末として用いた場合の他の用途、例えばテレビ電話システムや、機器遠隔操作システムにも同様の問題点は存在する。すなわち、携帯電話のディスプレイが小さいために、画面が見にくかったり、そのために使用者が誤操作をする可能性が高い。 
【０００９】
本発明はこのような携帯電話を利用した表示システム、商品販売システム及び販売方法、テレビ電話システム、機器遠隔操作システムの問題点に鑑みてなされたものであり、その目的とするところは、携帯電話を端末として用いると共に、大きなディスプレイの表示を用いて見やすい表示画面を提供することにより、顧客または使用者が誤った操作をすることを防止した使いやすい表示システム、商品販売システム及び販売方法、テレビ電話システム、機器遠隔操作システムを提供することにある。 
【課題を解決するための手段】
【００１０】
本発明は、上記課題を解決すべく、以下に掲げる構成とした。
請求項１記載の発明の要旨は、ネットワークを介して情報の授受を行なうことのできる携帯電話と、通信機能により前記携帯電話と接続されることにより前記情報を表示することのできる表示機器とから構成され、前記携帯電話が有する第１のディスプレイには前記情報を簡易的に表す第１の表示画面が表示され、前記表示機器が有する第２のディスプレイには前記情報を前記第１の表示画面よりも詳細に表す第２の表示画面が表示されることを特徴とする表示システムに存する。 
請求項２記載の発明の要旨は、前記表示機器はパソコン、テレビ、カーナビゲーション装置のいずれかであることを特徴とする請求項１に記載の表示システムに存する。 
請求項３記載の発明の要旨は、前記通信機能はBluetooth、HomeRF、Wi-Fiのいずれかの規格に準拠した無線LAN通信、またはIrDA規格に準拠した赤外線通信であることを特徴とする請求項１または２に記載の表示システムに存する。 
請求項４記載の発明の要旨は、インターネットを介して販売店の販売管理用サーバと接続され、前記販売管理用サーバと情報の授受を行なうことのできる携帯電話と、通信機能により前記携帯電話と接続されることにより前記情報を表示することのできる表示機器とを用いて顧客が商品の販売手続を行なう商品販売システムであって、前記販売店で販売される商品の情報である販売商品情報を前記販売管理用サーバから前記携帯電話に送信する手段と、前記携帯電話の有する第１のディスプレイに前記販売商品情報を簡易的に表す第１の販売商品画面を表示し、前記表示機器の有する第２のディスプレイに前記販売商品情報を前記第１の販売商品画面よりも詳細に表す第２の販売商品画面を表示する手段と、顧客が購入希望の商品を指定する情報である注文情報を前記携帯電話から前記販売管理用サーバに送信する手段とを有することを特徴とする商品販売システムに存する。 
請求項５記載の発明の要旨は、前記表示機器はパソコン、テレビ、カーナビゲーション装置のいずれかであることを特徴とする請求項４に記載の商品販売システムに存する。 
請求項６記載の発明の要旨は、前記表示機器がパソコンであり、かつ前記商品がデジタルコンテンツである場合に、前記注文情報を前記販売管理用サーバが受信した後に、前記携帯電話が前記商品をダウンロードし、前記商品を前記パソコンの有する記憶媒体に保存する手段を有することを特徴とする請求項５に記載の商品販売システムに存する。 
請求項７記載の発明の要旨は、インターネットを介して販売店の販売管理用サーバと接続され、前記販売管理用サーバと情報の授受を行なうことのできる携帯電話と、通信機能により前記携帯電話と接続されることにより前記情報を表示することのできる表示機器とを用いて顧客が商品の販売手続を行なう商品販売システムであって、前記販売管理用サーバから、販売店が配達可能な商品配達場所及び時刻を示す情報である商品配達情報を前記携帯電話に送信する手段と、前記携帯電話の有する第１のディスプレイに前記商品配達情報のうち配達可能な場所及び配達時刻を文字で表示する第１の商品配達画面を表示し、前記表示機器の有する第２のディスプレイに前記商品配達情報のうち配達可能な場所を文字及び画像で表す第２の商品配達画面を表示する手段と、顧客が前記第１及び第２の商品配達画面を参照して、購入希望の商品の配達場所及び配達時刻を指定する情報である商品配達指定情報を、前記携帯電話から前記商品販売管理用サーバに送信する手段とを有することを特徴とする商品販売システムに存する。 
請求項８記載の発明の要旨は、インターネットを介して販売店の販売管理用サーバと接続され、前記販売管理用サーバと情報の授受を行なうことのできる携帯電話と、通信機能により前記携帯電話と接続されることにより前記情報を表示することのできる表示機器とを用いて商品配達者が商品の配達を行なう商品販売システムであって、前記販売管理用サーバから、商品を配達する場所及び配達する時刻を指定する商品配達指定情報を前記携帯電話に送信する手段と、前記携帯電話の有する第１のディスプレイに、前記商品配達指定情報を文字で表示する第１の商品配達画面を表示し、前記表示機器の有する第２のディスプレイに、前記商品配達情報のうち配達可能な場所を文字及び画像で表す第２の商品配達画面を表示する手段とを有することを特徴とする商品販売システムに存する。 
請求項９記載の発明の要旨は、前記表示機器はパソコン、テレビ、カーナビゲーション装置のいずれかであることを特徴とする請求項７または８に記載の商品販売システムに存する。 
請求項１０記載の発明の要旨は、前記販売管理用サーバにおいて、商品配達日の前日までに、当該配達日に配達される予定の全ての商品についての前記商品配達指定情報を参照することにより、前記商品配達日において商品を配達する配達車の総走行距離が最小になるべくその配達の経路を特定する最適化手段を有することを特徴とする請求項７及至９に記載の商品販売システムに存する。 
請求項１１記載の発明の要旨は、前記通信機能はBluetooth、HomeRF、Wi-Fiのいずれかの規格に準拠した無線LAN通信、またはIrDA規格に準拠した赤外線通信であることを特徴とする請求項４及至１０に記載の商品販売システムに存する。 
請求項１２記載の発明の要旨は、前記携帯電話が前記販売管理用サーバと情報の授受を行なう前に、前記販売管理用サーバが前記顧客又は前記商品配達者に暗証番号を入力させることを要求する認証手段を有することを特徴とする請求項４及至１１に記載の商品販売システムに存する。 
請求項１３記載の発明の要旨は、インターネットを介して販売店の販売管理用サーバと接続され、前記販売管理用サーバと情報の授受を行なうことのできる携帯電話と、通信機能により前記携帯電話と接続されることにより前記情報を表示することのできる表示機器とを用いて顧客が商品の販売手続を行なう商品販売方法であって、前記販売店は、販売される商品の情報である販売商品情報を前記商品販売管理用サーバから前記携帯電話に送信し、前記携帯電話の有する第１のディスプレイは前記販売商品情報を簡易的に表す第１の販売商品画面を表示し、前記表示機器の有する第２のディスプレイは前記販売商品情報を前記第１の販売商品画面よりも詳細に表す第２の販売商品画面を表示し、顧客が前記第１の販売商品画面及び前記第２の商品表示画面を見た後に、購入希望の商品を指定する情報である注文情報を前記携帯電話から前記販売管理用サーバに送信することを特徴とする商品販売方法に存する。 
請求項１４記載の発明の要旨は、前記表示機器はパソコン、テレビ、カーナビゲーション装置のいずれかであることを特徴とする請求項１３に記載の商品販売方法に存する。 
請求項１５記載の発明の要旨は、前記表示機器がパソコンであり、かつ前記商品がデジタルコンテンツである場合に、前記注文情報を前記販売管理用サーバが受信した後に、前記携帯電話が前記商品をダウンロードし、前記商品を前記パソコンの有する記憶媒体に保存することを特徴とする請求項１４に記載の商品販売方法に存する。 
請求項１６記載の発明の要旨は、インターネットを介して販売店の販売管理用サーバと接続され、前記販売管理用サーバと情報の授受を行なうことのできる携帯電話と、通信機能により前記携帯電話と接続されることにより前記情報を表示することのできる表示機器とを用いて顧客が商品の販売手続を行なう商品販売方法であって、前記販売店は、前記販売管理用サーバから、配達する商品の配達可能な場所及び配達可能な時刻を指定する商品配達指定情報を前記携帯電話に送信し、前記携帯電話の有する第１のディスプレイは前記商品配達指定情報のうち配達可能な場所及び配達時刻を文字で表示する第１の商品配達画面を表示し、前記表示機器の有する第２のディスプレイは前記商品配達指定情報のうち配達可能な場所を文字及び画像で表す第２の商品配達画面を表示し、顧客が前記第１及び第２の商品配達画面を参照して、購入希望の商品の配達場所及び配達時刻を指定する情報である商品配達指定情報を、前記携帯電話から前記販売管理用サーバに送信することを特徴とする商品販売方法に存する。 
請求項１７記載の発明の要旨は、インターネットを介して販売店の販売管理用サーバと接続され、前記販売管理用サーバと情報の授受を行なうことのできる携帯電話と、通信機能により前記携帯電話と接続されることにより前記情報を表示することのできる表示機器とを用いて商品配達者が商品の配達を行なう商品販売方法であって、前記販売管理用サーバから、商品を配達する場所及び配達する時刻を指定する商品配達指定情報を前記携帯電話に送信し、前記携帯電話の有する第１のディスプレイに、前記商品配達指定情報を文字で表示する第１の商品配達画面を表示し、前記表示機器の有する第２のディスプレイに、前記商品配達情報のうち配達可能な場所を文字及び画像で表す第２の商品配達画面を表示することを特徴とする商品販売方法に存する。 
請求項１８記載の発明の要旨は、前記表示機器はパソコン、テレビ、カーナビゲーション装置のいずれかであることを特徴とする請求項１６または１７に記載の商品販売システムに存する。 
請求項１９記載の発明の要旨は、前記商品販売管理用サーバにおいて、商品配達日の前日までに、当該配達日に配達される予定の全ての商品についての前記商品配達指定情報を参照することにより、前記商品配達日において商品を配達する配達車の総走行距離が最小になるべくその配達の経路を特定することを特徴とする請求項１６及至１８に記載の商品販売方法に存する。 
請求項２０記載の発明の要旨は、前記携帯電話が前記販売管理用サーバと情報の授受を行なう前に、前記販売管理用サーバが前記顧客又は前記商品配達者に暗証番号を入力させることを要求することを特徴とする請求項１３及至１９に記載の商品販売方法に存する。 
請求項２１記載の発明の要旨は、インターネットを介してテレビ会議用サーバと接続され、前記テレビ会議用サーバと情報の授受を行なうことのできる携帯電話と、通信機能により前記携帯電話と接続されることにより前記情報を表示することのできる表示機器とを用いて、テレビ会議用サーバとネットワークを介して接続された機器の制御を行なうテレビ会議システムであって、前記携帯電話が有する第１のディスプレイには前記情報を文字で表示する第１のテレビ電話画面を表示し、前記表示機器の有する第２のディスプレイに前記情報に含まれる画像情報を表示する第２のテレビ電話画面を表示する情報表示手段を有することを特徴とするテレビ会議システムに存する。 
請求項２２記載の発明の要旨は、前記表示機器はパソコン、テレビ、カーナビゲーション装置のいずれかであることを特徴とする請求項２１に記載のテレビ会議システムに存する。 
請求項２３記載の発明の要旨は、インターネットを介して機器管理用サーバと接続され、前記機器管理用サーバと情報の授受を行うことができる携帯電話と、通信機能により前記携帯電話と接続されることにより前記情報を表示することのできる表示機器とを用いて、前記機器管理用サーバとネットワークを介して接続された機器の操作を行なう機器遠隔操作システムであって、前記機器管理用サーバから前記機器の現在の状態を示す情報である機器情報を前記携帯電話に発信する機器情報提供手段と、前記携帯電話の有する第１のディスプレイに、前記機器情報を簡易的に表す第１の機器情報画面を表示し、前記表示機器の有する第２のディスプレイに、前記機器情報を前記第１の機器情報画面よりも詳細に表す第２の機器情報画面を表示する機器情報表示手段と、前記機器を操作するための制御情報を前記携帯電話から前記機器管理用サーバに送信する制御情報送信手段とを有することを特徴とする機器遠隔操作システムに存する。 
請求項２４記載の発明の要旨は、前記表示機器はパソコン、テレビ、カーナビゲーション装置のいずれかであることを特徴とする請求項２３に記載の機器遠隔操作システムに存する。 
請求項２５記載の発明の要旨は、請求項１及至３のいずれかに記載の表示システムにおける第１の表示画面において、前記通信機能により前記携帯電話と接続する表示機器を選択する画面が表示されることを特徴とする請求項１及至３のいずれかに記載の表示システムに存する。 
請求項２６記載の発明の要旨は、請求項１及至３のいずれかに記載の表示システムにおける第１の表示画面において、請求項４及至１２のいずれかに記載の商品販売システム、請求項２１または２２に記載のテレビ会議システム、及び請求項２３または２４に記載の機器遠隔操作システム、のいずれかのシステムを選択して起動する画面が表示されることを特徴とする請求項１及至３のいずれかに記載の表示システムに存する。 
【発明の効果】
【００１１】
本発明は以上のように構成されているので、以下に掲げる効果を奏する。 
【００１２】
本発明の表示システムにおいては、携帯電話を端末として用いた場合に、携帯電話が得た情報を、小さな画面で充分に表示できる情報は小さな表示画面で、大きな画面が要求される情報は大きな表示画面で表示することによって、使用者が見やすい表示画面で表示することができる。 
【００１３】
本発明の商品販売システム及び商品販売方法においては、携帯電話を端末とすることにより、いつでもどこでも商品の発注や配達手続を行うことができ、この際に、必要に応じて見やすく大きな表示画面を使用できるため、顧客が誤った手続きをする可能性を低くすることができる。従って、顧客満足度を向上させることができる。 
【００１４】
本発明のテレビ会議システムにおいては、テレビ会議参加者の手元にあるパソコンのディスプレイで画像を見ることができるため、会議参加者が画像を見やすい環境を提供することができる。   
【００１５】
本発明の機器遠隔操作システムにおいては、携帯電話を制御の端末として用いると共に、機器の状況を見やすく大きな表示画面で確認することができるため、誤った操作をする可能性を低くすることができる。従って、信頼性の高い機器遠隔操作システムを得ることができる。   
【発明を実施するための最良の形態】
【００１６】
以下、本発明を実施するための最良の形態について説明する。
【００１７】
図１は、本発明の表示システムを商品販売システムに適用したときの第１の実施の形態の構成を示す図である。図において、顧客の携帯電話１０は、ネットワーク１００を介して販売店の販売管理用サーバ３０と接続されている。携帯電話１０は、顧客の元で、パソコン２０と通信網２００により接続されている。販売管理用サーバ３０は、商品データベース３５と、配達データベース３６に接続されている。携帯電話１０及びパソコン２０はいずれもディスプレイを有しており、ＬＣＤ（Liquid Crystal Display）型やＣＲＴ(Cathode Ray Tube）型が用いられるが、携帯電話１０のもつ第１のディスプレイの大きさは２．５インチ程度、パソコン２０の有する第２のディスプレイの大きさは１５インチ以上のサイズであるのが通常である。本発明の表示システムは、携帯電話１０の有する第１のディスプレイとパソコン２０の有する第２のディスプレイを組み合わせて用いる。 
【００１８】
携帯電話１０と販売管理用サーバ３０を接続するネットワーク１００としては一般にはインターネットが用いられ、このための回線としては例えば電話回線や光ファイバーを用いた10Mbps以上の高速通信回線が用いられる。従って、携帯電話１０は、このネットワークに接続できる機能を備えたものである必要がある。 
【００１９】
一方、携帯電話１０とパソコン２０とは通信網２００を用いたローカルネットワークで接続されている。通信網２００に要求されるデータ転送性能は1Mbps以上であればよく、Bluetooth、HomeRF、Wi-Fi 規格等に準拠した無線LAN通信や、IrDA規格に準拠した赤外線通信が使用可能である。従って、携帯電話１０及びパソコン２０は、これらの通信機能を備えたものである必要がある。 
携帯電話１０とパソコン２０との通信網２００による接続に際しては、例えば特開２００３−０３２２６１に記載される方法において、携帯電話１０をマスターとし、パソコン２０をスレーブとした方法を用いることができる。 
【００２０】
携帯電話１０は販売管理用サーバ３０とネットワーク１００を介して情報の授受を行うことができる。例えば、携帯電話１０から顧客が希望する商品を特定する情報を販売管理用サーバ３０に送信すると、販売管理用サーバ３０から、商品データベース３５に基づいてその商品の情報を得ることができる。この情報を携帯電話１０は、通信網２００を介してパソコン２０に送信する。携帯電話１０とパソコン２０は共にこの情報を表示することができるが、前記第１のディスプレイには前記情報を簡易的に表す第１の表示画面として、例えば商品のサイズや材質に関する文字情報を表示する。前記第２のディスプレイには、前記情報を前記第１の表示画面よりも詳細に表す第２の表示画面として、例えば商品の外観の画像を表示する。これらの表示内容の選択は、携帯電話１０で行ってもよいし、パソコン２０で行ってもよい。 
【００２１】
販売管理用サーバ３０と直接接続されているのは携帯電話１０であり、携帯電話１０とパソコン２０の関係は、前者が親機、後者が子機となる関係である。すなわち、パソコン２０は、携帯電話１０の子機として、前記の表示を行うために用いられる。そのため、携帯電話１０からパソコン２０に送信される情報は、携帯電話１０が販売管理用サーバ３０から得た情報のすべてである必要はなく、パソコン２０の表示に必要最小限の情報だけでもよい。 
【００２２】
通信網２００としては、特に無線である必要はなく、USB規格に準拠したケーブル通信を用いることもできる。 
【００２３】
第１のディスプレイと第２のディスプレイには全く同じ画面が表示されていてもよい。この場合でも、顧客は、パソコン２０の大きなディスプレイによって、より鮮明な画像を見ることにより、詳細な情報を得ることができる。 
【００２４】
パソコン２０としては、携帯電話１０よりも大きなディスプレイをもつものであり、通信網２００に対応できる通信機能をもつものが使用できるが、ノート型パソコンであれば持ち運びにも便利であり、好ましい。顧客が直接販売管理用サーバ３０にアクセスするのに用いるのは携帯電話１０であり、パソコン２０は子機としてのみ用いるので、パソコン２０としては、携帯電話１０との通信網２００を介した通信機能を備えたものを任意に用いることが可能である。例えば、顧客が出先でパソコンを短時間借用して用いることもできる。このとき、インターネットに接続するのは携帯電話１０だけなので、インターネット接続に要した費用は携帯電話１０のみに課せられる。また、パソコン２０は携帯電話１０の子機としてのみ用いるので、顧客が販売管理用サーバ３０にアクセスした際の情報が不必要にパソコン２０に残ることもない。従って、パソコン２０として他人のものを借用しても、顧客の個人情報が不必要にパソコン２０に残ることはないため、他人のパソコンを借用してパソコン２０として用いてもセキュリティ上の問題は少ない。以上に述べたパソコン２０は、上記の説明のとおり、表示機器としてその表示機能を主に用いる。そのため、これに代わり、通信網２００によって携帯電話１０と接続でき、携帯電話よりも大きなディスプレイを有するテレビ、カーナビゲーション装置を用いることも可能であり、表示機器として同様に用いることができる。 
【００２５】
本発明の第１の実施の形態である商品販売システムの処理の流れについて以下に説明する。図２はその処理の流れを示すフローチャートである。 
【００２６】
顧客は、携帯電話１０をパソコン２０と通信網２００で接続する（Ｓ１１）。次に、携帯電話１０をネットワーク１００により販売管理用サーバ３０に接続する（Ｓ１２）。次に、携帯電話１０から、希望する商品に関する情報である販売商品情報を販売管理用サーバ３０へ要求する（Ｓ１３）。これは、例えば携帯電話１０で販売店の開設したウェブサイトにアクセスし、そのページ内で希望商品名を入力することによってなされる。販売商品情報とは、顧客が購入を希望する商品に関する外観、仕様、価格等を含む情報である。ここで、希望する商品は一つである必要はなく、購入する候補となる複数の商品すべてについての情報を一つの販売商品情報として要求することもできる。 
【００２７】
販売管理用サーバ３０は、商品データベース３５に基づいて、販売商品情報をインターネットを介して携帯電話１０に送信する（Ｓ３１）。 
【００２８】
携帯電話１０は、前記販売商品情報を受信した後に、通信網２００を介して 
これをパソコン２０へ送信する（Ｓ１４）。 
【００２９】
携帯電話１０は、前記販売商品情報に基づいて携帯電話１０の有する第１のディスプレイに、第１の販売商品画面を表示する（Ｓ１５）。この画面は、商品の情報を簡易的に示したもので、例えば商品の名称や価格等を文字で示したものである。 
【００３０】
パソコン２０は、パソコン２０の有する第２のディスプレイに、第２の販売商品画面を表示する（Ｓ４１）。この画面は、商品の情報を第１の販売商品画面よりも詳細に示したもので、例えば、商品の外観写真を画像で示したものである。 
【００３１】
顧客は、前記販売商品情報に一つの商品の情報のみが含まれる場合、第１及び第２の販売商品画面に基づいて、その商品を選択して発注するか、他の商品を引き続き調べるか判断する。また、前記販売商品情報に複数の商品の情報が含まれる場合、第１及び第２の販売商品画面に基づいて、そのうちどの商品を選択して発注するか、あるいはこれに含まれなかった他の商品を引き続き調べるか判断する（Ｓ１６）。 
【００３２】
他の商品を調べる場合には、他の商品の販売商品情報を携帯電話１０から前記と同様に販売管理用サーバ３０に要求し（Ｓ１３）、新たな販売商品情報を受信した後に、前記と同様にその情報を表示し、顧客が注文する商品を決定するまでその手順を繰り返す。 
【００３３】
注文する商品が決定したら、顧客は、携帯電話１０から、注文する商品の名称や仕様を指定する注文情報を販売管理用サーバ３０に送信する（Ｓ１７）。これは、例えばウェブサイト内の前記販売商品情報を要求した場合とは別のページに注文情報を入力することによってなされる。また、例えば携帯電話１０またはパソコン２０の画面において、商品の名称や仕様を表示した箇所にカーソルをもっていき、クリックすることによって注文情報が確定され、顧客のキー操作で注文情報が送信されるような設定にしてもよい。販売管理用サーバ３０は、この注文情報を受信した後に、接続された配達データベース３６に登録する（Ｓ３２）。 
【００３４】
次に、販売管理用サーバ３０は、顧客が商品の配達場所を特定するための情報（例えば地図情報）や、配達可能な時刻を含む情報である商品配達情報を携帯電話１０に送信する（Ｓ３３）。 
【００３５】
携帯電話１０は、前記商品配達情報を受信した後に、通信網２００を介してこれをパソコン２０へ送信する（Ｓ１８）。 
【００３６】
携帯電話１０は、携帯電話１０の有する第１のディスプレイに、第１の商品配達画面を表示する（Ｓ１９）。この画面は、商品を配達可能な場所及び配達時刻を文字で示したもので、例えば顧客の住所が文字で示されている。 
【００３７】
パソコン２０は、パソコン２０の有する第２のディスプレイに、第２の商品配達画面を表示する（Ｓ４２）。この画面は、商品を配達可能な場所や時刻を文字及び画像で詳細に表したもので、例えば、顧客の住所付近の地図の画像や、配達可能な日や時刻が表で示されている。 
【００３８】
以上の表示を見た後に配達される場所や時刻を決定したら、顧客は携帯電話１０から、配達場所と時刻を指定する情報である商品配達指定情報を、販売管理用サーバ３０に送信する（Ｓ２０）。これは、例えばウェブサイト内の配達指定情報送信用のページに配達場所や時刻を入力することによってなされる。また、例えばパソコン２０の画面に表示された地図画面において、配達場所を示す箇所にカーソルをもっていき、クリックすることによって配達場所が確定されてもよく、配達可能な時刻を示す表において、希望する時刻を顧客が選択してクリックすることにより配達指定情報が確定され、顧客のキー操作で配達指定情報が送信されるような設定にしてもよい。販売管理用サーバ３０は、この情報を、接続された配達データベース３６に登録する（Ｓ３４）。 
【００３９】
図２に示した処理の流れにおいては、１回の販売商品情報の要求が１回あると販売商品情報は１回だけ送信されるが、実際には、販売商品情報は複数回にわたって送信してもよい。また、一つの商品につき販売商品情報を複数回に分けて要求することもでき、それに応じて販売商品情報を複数回送信することも可能である。また、実際には第１及び第２の販売商品画面において、表示された一つの項目を顧客が選択してクリックすることにより販売商品情報の要求がなされ、その項目についての詳細な情報を含む販売商品情報が販売管理用サーバ３０から携帯電話１０に送信してもよい。商品配達情報の要求及び送信についても全く同様に、複数回にわたって行われてもよい。 
【００４０】
販売商品情報は携帯電話１０からパソコン２０に送信されるが、その際に携帯電話１０が販売管理用サーバ３０から受信した販売商品情報のすべてを送信する必要はなく、パソコン２０において第２の販売商品画面を表示するのに必要な情報だけを送信してもよい。これは、特に通信網２００のデータ転送速度が充分でないために送信するのに時間がかかる場合に有効である。また、図２では販売商品情報のパソコン２０への送信は１回しか記載されていないが、必要な情報だけを、例えば第２の販売商品画面表示の画面の切り替え等に応じて複数回にわたって送信してもよい。携帯電話１０からパソコン２０への商品配達情報の送信についても全く同様に、複数回にわたってもよい。 
【００４１】
また、図２においてはパソコン２０から携帯電話１０に情報が送信される場合が記されていないが、例えば、第２の販売商品画面又は第２の商品配達画面において、顧客がカーソルで商品や配達の内容についての項目を指定することができる。この場合には、ここで指定された情報をパソコン２０は携帯電話１０に送信することもできる。 
【００４２】
なお、以上に述べた本実施の形態においては、販売商品情報についての表示と、商品配達情報についての表示の両方について本発明の表示システムを用いて行っているが、このうち片方の情報についてのみ本発明の表示システムを用いることも可能である。例えば、商品配達情報として、顧客の住所と配達日時を携帯電話１０の画面から入力するだけなら第２の商品配達画面の表示は不要であり、このステップにおいてはパソコン２０は不要である。また、商品の品名や仕様が予め決まっており、顧客が商品の詳細情報を必要としない場合には第２の商品配達画面の表示（Ｓ４２）は不要であり、このステップにおいてはパソコン２０は不要である。 
【００４３】
以上に述べた本実施の形態においては、第１及び第２のディスプレイを用いた本発明の表示システムを用いて顧客が容易に商品の選択、発注、配達の指定を行うことができる。特に、詳細な画像情報を必要とする項目においては、パソコン２０のもつ大きなディスプレイを用いることができるので、顧客が誤った指定をする可能性が小さくなる。 
【００４４】
本実施の形態における、前記の第１及び第２の販売商品画面について具体例をあげてより詳細に説明する。まず、第１の例として、顧客が本商品販売システムによって、バッグの購入を行なう場合の図２における販売商品情報要求から注文情報登録までの流れにつき説明する。 
【００４５】
顧客は、商品「バッグ」に関する販売商品情報を携帯電話１０から販売管理用サーバ３０へ要求する（Ｓ１３）。 
【００４６】
その結果送信された販売商品情報には、例えば４種類のバッグ（品名Ａ〜Ｄ）に関する情報が含まれている。このとき、図３（ａ）に示すように、第１の販売商品画面（Ｓ１５）には、Ａ、Ｂ、Ｃ、Ｄの品名と価格が文字で表示される。一方、図３（ｂ）に示すように、第２の販売商品画面（Ｓ４１）には、Ａ、Ｂ、Ｃ、Ｄの外観写真が並んで表示される。これにより、これらを同一画面で比較することができる。特にバッグＡを詳細に見たいと顧客が判断した場合、図３（ｃ）に示すように、第１の販売商品画面におけるＡを選択してクリックすることにより、図３（ｄ）に示すように、第２の販売商品画面はバッグＡだけを拡大して表示すると共に、その詳細仕様も表示する。これによりさらに顧客はバッグＡの詳細な情報を得ることができる。第１の販売商品画面は、携帯電話１０の有する大きさ２．５インチ程度の小さなディスプレイに表示されるが、以上の文字情報は充分識別できる。一方、第２の販売商品画面は、パソコン２０の有する１５インチ以上の大きなディスプレイに表示されるため、以上の表示により各バッグの細かい部分、例えば
バッグの取っ手部分の形状まで顧客は詳細に見ることができる。 
【００４７】
その後、顧客が注文する商品を決定したら、第１の販売商品画面は図３（ｅ）に示すように、注文情報を送信する画面となり、ここで「Ｙ」と入力することにより、注文商品の名称や仕様を指定する注文情報は販売管理用サーバ３０へ送信され（Ｓ１７）、販売管理用サーバ３０はこれを配達データベース３６に登録する（Ｓ３２）。以上の操作により図２における注文情報登録が終了する。この際に、顧客は第１の販売商品画面と第２の販売商品画面を参照することによって、商品の情報を正確に得ることができるため、間違った商品を注文する確率が低くなる。また、注文の際に顧客が操作する画面は携帯電話１０の画面であり、ここには例えば図３（ｅ）に示すような必要最小限の文字だけで構成された画面が表示されているため、その操作は非常に単純で、顧客が間違った操作をする可能性も小さい。 
【００４８】
第２の例として、顧客が本商品販売システムによって、上下服の購入を行なう場合の第１及び第２の販売商品画面の表示につき説明する。顧客は、商品として４種類の「シャツ」と４種類の「ズボン」に関する販売商品情報を販売管理用サーバ３０へ要求する（Ｓ１３）。 
【００４９】
その結果送信された販売商品情報には、４種類のシャツ（品名Ｅ〜Ｈ）と４種類のズボン（品名Ｉ〜Ｌ）が含まれている。このとき、図４（ａ）に示すように、第１の販売商品画面（Ｓ１５）には、シャツＥ、Ｆ、Ｇ、Ｈと、ズボンＩ、Ｊ、Ｋ、Ｌの品名と価格が表示される。一方、図４（ｂ）に示すように、第２の販売商品画面（Ｓ４１）には、シャツＥ、Ｆ、Ｇ、Ｈの外観写真と、ズボンＩ、Ｊ、Ｋ、Ｌの外観写真が並んで表示される。第１の販売商品画面では、図４（ｃ）に示すように、各商品をカーソルで指定してクリックすることによりシャツＥ、Ｆ、Ｇ、Ｈから一つと、ズボンＩ、Ｊ、Ｋ、Ｌから一つを選択することができる。これを受けて、第２の販売商品画面では、図４（ｄ）に示すように、例えばシャツＥとズボンＩが画面内で組み合わされて表示される。これを見て顧客はシャツとズボンの組み合わせを見て判断することができる。この例においても、第１の販売商品画面は、携帯電話１０の有する大きさ２．５インチ程度の小さなディスプレイに表示されるが、以上の文字情報は充分識別できる。一方、第２の販売商品画面は、パソコン２０の有する大きなディスプレイに表示されるため、各シャツ及び各ズボンの細かい部分やこれらを組み合わせた形での外観を詳細に見ることができる。 
【００５０】
以上により顧客が注文するシャツ及びズボンを決定し、前記の第１の例の場合と同様の方法で注文情報を携帯電話１０から送信する（Ｓ１７）。 
【００５１】
第３の例として、顧客が本商品販売システムによって、商品配達情報を受信してから配達場所及び時刻の特定を行ない、商品配達指定情報を送信する（Ｓ２０）までの場合につき説明する。 
【００５２】
この場合、注文情報を受信した販売管理用サーバ３０は、顧客が商品の配達場所を特定するための情報（例えば地図情報）や、配達可能な時刻を含む情報である商品配達情報を携帯電話１０に送信する（Ｓ３３）。この商品配達情報には、顧客の住所付近の地図情報が含まれる。第１の商品配達画面（Ｓ１９）においては、まず図５（ａ）に示すように「配達場所指定画面」と「配達日時指定画面」を選択することができる。ここで配達場所指定画面を選択すると、配達場所の住所を顧客が選択することによって、例えば図５（ｂ）に示すように、「大分県」「宇佐市」が表示される。一方、第２の商品配達画面には、これに対応して、図５（ｃ）に示すように大分県の全体地図が表示され、宇佐市がその中で強調されて表示される（Ｓ４２）。さらに図５（ｄ）に示すように第１の商品配達画面でＡＢ町ＣＤ番地と指定すると、第２の商品配達画面には図５（ｅ）に示すように「大分県宇佐市ＡＢ町ＣＤ番地」付近の地図が拡大表示される。顧客がこの第２の商品配達画面で、配達場所にカーソルを持っていきクリックすると、その場所が「配達場所」として特定され、その情報がパソコン２０から通信網２００によって携帯電話１０に送信される。また、第１の商品配達画面では、住所の他に「その他」という項目で建物の特徴等を自由に入力でき、ここでは図５（ｄ）に示すように「赤い屋根の一戸建」と入力されている。必要ならば、この際に、家の写真を添付ファイルとすることができる。また、例えば、配達先が団地である場合、その団地を第１の商品配達画面に図５（ｆ）のとおりにＥＦ団地と指定して入力すると、図５（ｇ）に示すように第２の商品配達画面には、ＥＦ団地の配置図が表示される。これが（１）〜（２４）にブロック分けされ、配達場所が（２０）のブロックである場合、この場所をクリックすると、この情報がパソコン２０から携帯電話１０に送信される。また、同時に、団地の何階かも指定することができ、ここでは「３」階と入力することにより、この情報が携帯電話１０に送信される。以上の作業は、携帯電話１０の小さなディスプレイとパソコン２０の大きなディスプレイを用いることにより顧客が容易に行うことができる。携帯電話１０は、以上の操作によって顧客から指定された配達場所に関する情報を入手し、これらをまとめて商品配達指定情報の一部として記憶する。なお、以上に述べた配達場所の指定は、顧客が特に希望する場合や、配達者にとって配達場所が特にわかりにくい場合に行うことができる。 
【００５３】
次に、第３の例における配達時刻の指定について説明する。前記の商品配達情報には、注文された商品を納期以降に顧客に配達できる時刻のリストが含まれる。第１の商品配達画面（Ｓ１９）において図５（ａ）における「配達日時指定画面」を選択すると、図６（ａ）に示すように配達月が表示される。これに対応して、第２の商品配達画面（Ｓ４２）には図６（ｂ）に示すように、配達月のカレンダーが表示される。カレンダーの中の各日がカーソルで選択でき、選択された日において配達できる時刻のリストが同時に表示される。顧客は、この配達時刻のリストから希望する時刻をカーソルで選択することにより、配達日時が決定される。パソコン２０は、この配達日時を携帯電話１０に送信し、これを携帯電話１０は商品配達指定情報の一部として記憶する。これにより、配達場所と日時が決定し、商品配達指定情報が確定する。 
【００５４】
その後、第１の商品配達画面は図６（ｃ）に示すように、商品配達指定情報を送信する画面となり、ここで「Ｙ」と入力することにより、以上の操作によって得られた商品配達指定情報は販売管理用サーバ３０へ送信され（Ｓ２０）、販売管理用サーバ３０はこれを配達データベース３６に登録する（Ｓ３４）。以上の操作により図２における商品配達指定情報登録が終了する。この際に、顧客は第１の商品配達画面と第２の商品配達画面を参照することによって、商品の配達場所や時刻に関する情報を充分に得ることができる。特に、画面を詳細に見る必要のあるため地図をパソコン２０の大きなディスプレイ（第２のディスプレイ）で見ることができ、必要最小限の文字情報を携帯電話１０の小さなディスプレイ（第１のディスプレイ）で得ることができるため、間違った場所や時刻を指定する確率が低くなる。 
【００５５】
なお、本発明の商品販売システムにおいては、顧客は必要に応じパソコン２０に表示された第２の販売商品画面及び第２の商品配達画面を見ることができ、注文する商品が明確であったり、配達場所が住所指定だけで特に問題ない場合等は、これらの画面を見る必要はない。その場合には顧客はパソコン２０を必要とせず、携帯電話１０だけで販売商品情報要求から商品配達指定情報送信までを行うこともできる。 
【００５６】
また、販売管理用サーバは、商品配達日の前日までに、配達データベース３６に基づき、当該配達日に配達される予定の全ての商品についての商品配達指定情報を参照することにより、当日に配達する全商品の配達場所及び配達時刻を元にして、その配達車の総走行距離が最小になるべく配達の経路を特定することができる。配達車はこの経路をたどることにより、配達を効率的に行うことができる。 
【００５７】
購入する商品がデジタルコンテンツ、例えば文章、画像、音楽、データベース、ソフトウェア等である場合、商品の配達に代わり、商品を販売管理用サーバ３０からネットワーク１００を通じて送信することも可能である。この場合には、注文情報を販売管理用サーバ３０が受信して登録された直後に携帯電話１０が商品をダウンロードすることができ、前記の商品配達情報送信（Ｓ３３）以降の工程は不要である。携帯電話１０はこのデジタルコンテンツをこのまま携帯電話１０の有する記憶媒体に記憶してもよいが、携帯電話１０はこれをパソコン２０に通信網２００を介して送信し、パソコン２０の有するハードディスク等の記憶媒体に記憶してもよい。この場合、携帯電話１０の有する記憶媒体の容量は通常１ギガバイト以下であるため、保存できるデジタルコンテンツの量は限定されるのに対して、パソコン２０の有するハードディスクの容量は通常１０ギガバイト以上であるため、好ましい。ハードディスク以外にもパソコン２０に接続されたメモリーカード等に保存してもよい。 
【００５８】
顧客が本商品販売システムを用いて販売管理用サーバ３０にアクセスする際に、予め会員登録しておき、会員番号と暗証番号を入力することにより販売商品情報の要求ができることが好ましい。これにより、会員である顧客の個人情報が不要に外部に流れる可能性が最小限に保たれる。また、配達場所の指定は１回行えば配達データベース３６に登録されるため、顧客がこの商品販売システムを複数回使う場合、２回目以降の注文で同じ配達場所を指定する場合には不要となる。 
【００５９】
また、本発明の表示システムの第２の実施の形態として、前記第１の実施の形態の商品販売システムにおける商品配達に適用した例について説明する。 
【００６０】
配達者は配達車を用いて商品を顧客のところまで配達する。この際に、図１に示すように携帯電話１０と、通信網２００によってこれに接続されたパソコン２０を配達車に備える。ここで、パソコン２０としてはノート型パソコンが配達車に備えるには好ましい。配達者は、携帯電話１０からネットワーク１００を介して販売管理用サーバ３０にアクセスし、顧客に届ける商品の商品配達指定情報を得る。携帯電話１０は、この商品配達指定情報をパソコン２０に送信する。パソコン２０は、図５（ｅ）に示す配達先の地図を表示し、携帯電話１０は図５（ｄ）に示す配達先住所と家屋の特徴を表示する。これにより、配達者は商品を容易かつ確実に顧客の元に届けることができる。特にこの用途の場合には、パソコン２０の代わりにカーナビゲーション装置を用いることが好ましい。 
【００６１】
この場合にも、配達者が本商品販売システムを用いて販売管理用サーバ３０にアクセスする際に、予め配達者として登録しておき、配達者番号と暗証番号を入力することにより商品配達指定情報の要求ができることが好ましい。 
【００６２】
本発明の表示システムは、商品販売システム以外の他の用途にも適用できる。 
【００６３】
本発明の表示システムの適用例である第３の実施の形態として、テレビ画面の表示がある。この場合には、図１におけるインターネット１００、販売管理用サーバ３０、販売管理用サーバ３０、商品データベース３５、配達データベース３６は不要である。携帯電話１０が地上波テレビ受信機をもつ場合、このテレビ画面情報を通信網２００を介してパソコン２０に送信することができる。パソコン２０は、これが有する大きなディスプレイにこのテレビ画面情報を表示することができる。この場合、携帯電話１０における第１の表示画面には図７（ａ）に示すチャンネル選択画面が、パソコン２０における第２の表示画面には図７（ｂ）に示すテレビ画面が表示される。この例では表示機器としてパソコン２０を用いているが、パソコン２０の代わりに、通信網２００によって携帯電話１０と接続できるカーナビゲーション装置を用いることも可能である。 
【００６４】
本発明の表示システムの適用例である第４の実施の形態として、テレビ会議システムがある。図８はこのテレビ会議システムの構成を示す図である。ここでは、本発明の表示システムをテレビ会議地点１で用い、従来のＴＶ会議端末をＴＶ会議地点２で用いて、これらの間でテレビ会議を行なう場合を示してある。 
【００６５】
図において、ＴＶ会議地点２において、ＴＶ会議端末５０が、マイク５１、スピーカ５２、カメラ５３、モニタ５４に接続されており、ＴＶ会議用サーバ６０がネットワーク１００を介してＴＶ会議端末５０と接続されている。ＴＶ会議地点２では、マイク５１、スピーカ５２、カメラ５３及びモニタ５４を用いて、会議の様子が中継及び表示され、得られた音声や画像データは、ＴＶ会議端末５０からネットワーク１００を介してＴＶ会議地点１まで届けられる。ＴＶ会議地点１では、ネットワーク１００に接続された携帯電話１０と、通信網２００によって携帯電話１０に接続されたパソコン２０、２１、２２が本発明の表示システムを構成している。携帯電話１０はネットワーク１００を介して前記の音声や画像データを受信する。第１の実施の形態の場合と同様に、パソコン２０、２１、２２は、携帯電話１０の子機として機能し、テレビ会議における画像を表示する。すなわち、ＴＶ会議地点１における会議参加者は、会議の画像を、手持ちのパソコン２０、２１、２２の有する第２のディスプレイによって得ることができる。 
【００６６】
これにより、例えば、会議のプレゼンテーション資料を、携帯電話１０を介することにより、ＴＶ会議地点１の参加者各自の手元の大きな画面で詳細に見ることができる。このとき、携帯電話１０の有する第１のディスプレイには会議に関する文字情報として、例えば現在第２のディスプレイが表示している場所名（例えば「ＴＶ会議地点２」）を表示してもよいし、会議の進行表を表示してもよい。 
【００６７】
この例では表示機器としてパソコン２０、２１、２２を用いているが、パソコンの代わりに通信網２００によって携帯電話１０と接続できるテレビやカーナビゲーション装置を用いることもできる。 
【００６８】
本発明の表示システムの適用例である第５の実施の形態として、機器遠隔操作システムがある。図９はこの機器遠隔操作システムの構成を示す図である。ここでは、携帯電話１０、通信網２００、パソコン２０からなる本発明の表示システム３がネットワーク１００を介して機器管理用サーバ７０と接続される。機器管理用サーバ７０は、家庭内ネットワーク１２０を介してＡ機器７１、Ｂ機器７２、Ｃ機器７３と接続されている。Ａ機器、Ｂ機器、Ｃ機器はいずれもネットワークに接続可能である。これらは本発明の機器遠隔操作システムによって操作されるデジタル機器であり、例えば、テレビ、ビデオデッキ、冷蔵庫、エアコン、介護用ベッド、監視用カメラ等の家電製品である。また、これらの機器は家電製品を制御することのできる制御装置であってもよい。例えば、これがネットワークを介して出力電圧を制御できる制御装置である場合には、これに接続した照明の明るさを操作することができる。デジタル機器でない家電製品は、ネットワークを介して直接制御することはできないが、このようにして、ネットワークに接続した制御装置を介して間接的に制御することが可能である。家庭内ネットワーク１２０はこれらと機器管理用サーバ７０とを接続するネットワークで、例えばインターネットを用いることができる。利用者は、表示システム３を用いて、機器管理用サーバ７０にアクセスすることによりＡ機器７１、Ｂ機器７２、Ｃ機器７３に対する情報である機器情報を入手し、その制御を行うことができる。特に、制御される複数の機器のうち一つは監視用カメラであることが好ましい。 
【００６９】
例えば、Ａ機器７１が介護用ベッドであり、Ｂ機器７２が監視用カメラである場合、携帯電話１０は、機器管理用サーバ７０にアクセスすることにより、図１０（ａ）に示すメニュー画面が表示される。その「モニター画面」を選択することによって、機器管理用サーバ７０を介して監視用カメラからの画像が送信され、パソコン２０の画面には図１０（ｂ）に示すように、介護用ベッドの状況を監視用カメラで撮影された画像が表示される。この状況を見て、図１０（ｃ）に示すように、携帯電話１０のメニュー画面から「ベッド制御」を選択すると、図１０（ｄ）に示すように、ベッド制御画面が表示される。ここで、例えばベッド角度を「＋１０度」とすると、機器管理用サーバ７０からの信号により、介護用ベッドの角度を＋１０度とすることができ、その後のモニター画面がパソコン２０に図１０（ｅ）のように表示される。このように、携帯電話１０の画面とパソコン２０の画面を活用することによって機器の遠隔操作を円滑に行うことができる。この実施の形態においても、パソコン２０は携帯電話１０の子機としてのみ用いられるので、使用者が出先でパソコンを借用してパソコン２０として用いることも可能である。前記のように、ネットワークに接続される機器のうち一つは監視用カメラであることが好ましいが、制御されるもう一つの機器は監視用カメラで監視でき、機器管理用サーバ７０で家庭用ネットワーク１２０を介して制御できるものであれば何でも使用できる。例えば、工場内の製造機器に適用した場合、使用者が出先で製造機器の制御を行うことができる。 
【００７０】
この例では表示機器としてパソコン２０を用いているが、パソコンの代わりに通信網２００によって携帯電話１０と接続できるテレビやカーナビゲーション装置を用いることもできる。   
【００７１】
なお、以上に述べた本発明の実施の形態においては、用いる携帯電話の表示画面（第１の表示画面）において、前記通信機能により前記携帯電話と接続する表示機器（パソコン、テレビ、カーナビゲーション装置等）を選択する画面を表示させることができる。これにより、容易にこの表示システムを稼働させることができる。 
【００７２】
また、携帯電話の表示画面（第１の表示画面）において、以上に述べた商品販売システム、以上に述べたテレビ会議システム、及び以上に述べた機器遠隔操作システム、のいずれかのシステムを選択して起動する画面を表示させることができる。これにより、これらのシステムを容易に起動することができる。 
【図面の簡単な説明】
【００７３】
【図１】本発明の第１の実施の形態である商品販売システムの構成を示す図である。
【図２】本発明の第１の実施の形態である商品販売システムのフローチャートである。
【図３】本発明の第１の実施の形態である商品販売システムにおける第１及び第２の販売商品画面の例である。
【図４】本発明の第１の実施の形態である商品販売システムにおける第１及び第２の販売商品画面の他の例である。
【図５】本発明の第１の実施の形態である商品販売システムにおける第１及び第２の商品配達画面の例である。
【図６】本発明の第１の実施の形態である商品販売システムにおける第１及び第２の商品配達画面の他の例である。
【図７】本発明の第３の実施の形態である表示システムの構成を示す図である。
【図８】本発明の第４の実施の形態であるテレビ会議システムの構成を示す図である。
【図９】本発明の第５の実施の形態である機器遠隔操作システムの構成を示す図である。
【図１０】本発明の第５の実施の形態である機器遠隔操作システムにおける携帯電話及びパソコンの表示画面の例である。
【符号の説明】
【００７４】
１０  携帯電話 
２０、２１、２２  パソコン 
３０  販売管理用サーバ 
３５  商品データベース 
３６  配達データベース 
５０  ＴＶ会議端末 
５１  マイク 
５２  スピーカ 
５３  カメラ 
５４  モニタ 
６０  ＴＶ会議用サーバ 
７０  機器管理用サーバ 
７１  Ａ機器（介護用ベッド） 
７２  Ｂ機器（監視用カメラ） 
７３  Ｃ機器 
１００  ネットワーク 
１２０  家庭内ネットワーク 
２００  通信網 
【図１】
2007074265.tif 000003
【図２】
2007074265.tif 000004
【図３】
2007074265.tif 000005
【図４】
2007074265.tif 000006
【図５】
2007074265.tif 000007
【図６】
2007074265.tif 000008
【図７】
2007074265.tif 000009
【図８】
2007074265.tif 000010
【図９】
2007074265.tif 000011
【図１０】
2007074265.tif 000012